(57)【要約】【課題】非背景画像の視認性の悪さを改善することである。【解決手段】本発明の一態様は、表示先に表示される画像であって背景画像に複数の非背景画像が重畳された画像を表示用画像とし、前記背景画像の輝度を基準背景輝度とし、前記複数の非背景画像のそれぞれの輝度を基準非背景輝度とし、前記基準背景輝度と複数の前記基準非背景輝度とのうちの任意の２つの輝度差のうち輝度差閾値未満の差があるか否かの結果に応じて、前記複数の非背景画像を前記表示先に表示させる輝度を得る演算部と、輝度が前記演算部によって得られた輝度である前記複数の非背景画像が前記背景画像に重畳された画像の画像データ、を前記表示用画像の画像データとして生成する画像処理部と、を備える表示装置である。【選択図】図１
2020095181.tif 000002
【特許請求の範囲】
【請求項１】
表示先に表示される画像であって背景画像に複数の非背景画像が重畳された画像を表示用画像とし、前記背景画像の輝度を基準背景輝度とし、前記複数の非背景画像のそれぞれの輝度を基準非背景輝度とし、前記基準背景輝度と複数の前記基準非背景輝度とのうちの任意の２つの輝度差のうち輝度差閾値未満の差があるか否かの結果に応じて、前記複数の非背景画像を前記表示先に表示させる輝度を得る演算部と、
輝度が前記演算部によって得られた輝度である前記複数の非背景画像が前記背景画像に重畳された画像の画像データ、を前記表示用画像の画像データとして生成する画像処理部と、
を備える表示装置。
【請求項２】
前記演算部は、さらに、前記表示用画像を前記表示先に表示する光源の輝度の、所定の値に対する変化量を表す輝度変化量に基づいて、前記複数の非背景画像を前記表示先に表示させる輝度を得る、
請求項１に記載の表示装置。
【請求項３】
前記演算部は、前記基準背景輝度と複数の前記基準非背景輝度とのうちの任意の２つの輝度差のうち少なくともひとつの前記輝度差が前記輝度差閾値未満である場合、前記輝度差閾値に基づいて前記複数の非背景画像の輝度を得る第１再補正処理を実行する、
請求項１又は２に記載の表示装置。
【請求項４】
前記演算部は、前記基準背景輝度と複数の前記基準非背景輝度とのうちの任意の２つの輝度差のうち少なくともひとつの前記輝度差が前記輝度差閾値未満である場合、複数の前記輝度差のうち最大の輝度差である最大輝度差に基づいて、前記複数の非背景画像の輝度を得る第２再補正処理を実行する、
請求項３に記載の表示装置。
【請求項５】
表示先に表示される画像であって背景画像に複数の非背景画像が重畳された画像を表示用画像とし、前記背景画像の輝度を基準背景輝度とし、前記複数の非背景画像のそれぞれの輝度を基準非背景輝度とし、前記基準背景輝度と複数の前記基準非背景輝度とのうちの任意の２つの輝度差のうち輝度差閾値未満の差があるか否かの結果に応じて、前記複数の非背景画像を前記表示先に表示させる輝度を得る演算ステップと、
輝度が前記演算ステップにおいて得られた輝度である前記複数の非背景画像が前記背景画像に重畳された画像の画像データ、を前記表示用画像の画像データとして生成する画像処理ステップと、
を有する表示方法。
【請求項６】
請求項１から４のいずれか一項に記載の表示装置としてコンピュータを機能させるためのプログラム。
【発明の詳細な説明】
【技術分野】
【０００１】
本発明は、表示装置、表示方法及びプログラムに関する。
【背景技術】
【０００２】
プロジェクタは、外部装置から入力された画像データが表す画像を投写する。このようなプロジェクタには、外部装置から入力された画像データが表す画像と異なる画像を外部装置から入力された画像データが表す画像に重畳して表示するものがある。このように外部装置から入力された画像データが表す画像（以下「主画像」という。）と異なる画像を外部装置から入力された画像データが表す画像に重畳するプロジェクタの機能はＯＳＤ（On Screen Display）機能と称される。以下、ＯＳＤ機能によって主画像に重畳される画像を副画像という。
【０００３】
このようなプロジェクタは、投写する画像の輝度を自装置が備える光源の出力の調整によって行う。そのため、このようなプロジェクタは、光源の出力の変更によって、副画像の輝度だけを変調することができなかった。このような課題を解決するために、一部のプロジェクタは、副画像の画像データの画素の色データ値を調整する機能を備える場合があった。しかしながら、副画像の輝度が低減される場合、副画像に表示される背景と文字等のオブジェクトである非背景画像との全ての輝度が低減される。そのため、このような機能を備えるプロジェクタは、副画像の画像データの画素の色データ値の調整を行うとユーザによるオブジェクトの識別が困難になる場合があった。
【０００４】
そこで、背景画像である主画像の色を鑑みて逆色相の色の副画像を重畳させることで主画像と副画像との区別を明瞭にする方法が提案されている（特許文献１参照）。
【先行技術文献】
【特許文献】
【０００５】
【特許文献１】特開２００８−１９７３００号公報
【発明の概要】
【発明が解決しようとする課題】
【０００６】
しかしながらプロジェクタが、副画像がメニューの選択項目を表す画像であるプロジェクタであって、オブジェクトの輝度又は色によってメニューの選択の可否等を表すプロジェクタである場合には、提案されている方法であってもなお課題があった。具体的には、このような方法によって背景と特定のオブジェクトとの間の識別を目的とした補正は可能であるものの、このような方法では、補正の影響でオブジェクトに設定された表示色間の輝度差が減少し、ユーザが表示状態を識別できなくなるという課題があった。
上記事情に鑑み、本発明は、非背景画像の視認性の悪さを改善することである。
【課題を解決するための手段】
【０００７】
本発明の一態様は、表示先に表示される画像であって背景画像に複数の非背景画像が重畳された画像を表示用画像とし、前記背景画像の輝度を基準背景輝度とし、前記複数の非背景画像のそれぞれの輝度を基準非背景輝度とし、前記基準背景輝度と複数の前記基準非背景輝度とのうちの任意の２つの輝度差のうち輝度差閾値未満の差があるか否かの結果に応じて、前記複数の非背景画像を前記表示先に表示させる輝度を得る演算部と、輝度が前記演算部によって得られた輝度である前記複数の非背景画像が前記背景画像に重畳された画像の画像データ、を前記表示用画像の画像データとして生成する画像処理部と、を備える表示装置である。
【０００８】
本発明の一態様は、上記の表示装置であって、前記演算部は、さらに、前記表示用画像を前記表示先に表示する光源の輝度の、所定の値に対する変化量を表す輝度変化量に基づいて、前記複数の非背景画像を前記表示先に表示させる輝度を得る。
【０００９】
本発明の一態様は、上記の表示装置であって、前記演算部は、前記基準背景輝度と複数の前記基準非背景輝度とのうちの任意の２つの輝度差のうち少なくともひとつの前記輝度差が前記輝度差閾値未満である場合、前記輝度差閾値に基づいて前記複数の非背景画像の輝度を得る第１再補正処理を実行する。
【００１０】
本発明の一態様は、上記の表示装置であって、前記演算部は、前記基準背景輝度と複数の前記基準非背景輝度とのうちの任意の２つの輝度差のうち少なくともひとつの前記輝度差が前記輝度差閾値未満である場合、複数の前記輝度差のうち最大の輝度差である最大輝度差に基づいて、前記複数の非背景画像の輝度を得る第２再補正処理を実行する。
【００１１】
本発明の一態様は、表示先に表示される画像であって背景画像に複数の非背景画像が重畳された画像を表示用画像とし、前記背景画像の輝度を基準背景輝度とし、前記複数の非背景画像のそれぞれの輝度を基準非背景輝度とし、前記基準背景輝度と複数の前記基準非背景輝度とのうちの任意の２つの輝度差のうち輝度差閾値未満の差があるか否かの結果に応じて、前記複数の非背景画像を前記表示先に表示させる輝度を得る演算ステップと、輝度が前記演算ステップにおいて得られた輝度である前記複数の非背景画像が前記背景画像に重畳された画像の画像データ、を前記表示用画像の画像データとして生成する画像処理ステップと、を有する表示方法である。
【００１２】
本発明の一態様は、上記の表示装置としてコンピュータを機能させるためのプログラムである。
【発明の効果】
【００１３】
本発明により、非背景画像の視認性の悪さを改善することが可能となる。
【図面の簡単な説明】
【００１４】
【図１】実施形態の表示装置１の機能構成の一例を示す図である。
【図２】実施形態の表示装置１が表示用画像を生成する処理の流れの一例を示すフローチャートである。
【図３】実施形態における輝度軽減処理の実行前の背景輝度及びオブジェクト輝度の一例を示す図である。
【図４】実施形態における輝度軽減処理の実行後の背景輝度及びオブジェクト輝度の一例を示す図である。
【図５】実施形態の輝度軽減処理後の輝度差の一例を示す図である。
【図６】実施形態の図４が示す背景輝度及びオブジェクト輝度に対して第１再補正処理が実行された後の背景輝度及びオブジェクト輝度の一例を示す図である。
【図７】実施形態における第１再補正処理後の輝度差の一例を示す図である。
【図８】実施形態の第２再補正処理における処理の流れの一例を示すフローチャートである。
【図９】実施形態の第２再補正処理後の背景輝度及びオブジェクト輝度の一例を示す図である。
【図１０】実施形態における第２再補正処理後の輝度差の一例を示す図である。
【図１１】オブジェクト画像と背景画像との関係の一例を示す図である。
【図１２】変形例における事前取得結果の一例を示す図である。
【図１３】変形例の表示装置１ａの機能構成の一例を示す図である。
【発明を実施するための形態】
【００１５】
以下、図面を参照しつつ、本発明の実施形態の表示装置、表示方法及びプログラムについて説明する。
【００１６】
図１は、実施形態の表示装置１の機能構成の一例を示す図である。
表示装置１は、光源を備え、光源が発する光によって、外部装置２が表示装置１に出力する画像データに応じた画像（以下「主画像」という。）を表示先であるスクリーン上に表示する。主画像データは、主画像のＲＧＢ値を（以下「主輝度」という。）を含む。表示装置１は、例えばプロジェクタである。
表示装置１は、ＯＳＤ（On Screen Display）機能を有する。ＯＳＤ機能は、主画像に重畳して、主画像と異なる画像を表示する機能である。以下、主画像に重畳して表示される画像を副画像という。副画像は、例えば、ＯＳＤ画面に表示される画像である。以下、副画像の画像データを副画像データという。副画像データは、背景画像データとオブジェクト画像データとを含む。背景画像データは、背景画像の画像データである。オブジェクト画像データは、オブジェクト画像の画像データである。オブジェクト画像は、副画像の一部であって背景画像に重畳して表示される画像である。オブジェクト画像は、例えば、文字を表す画像である。背景画像データは、背景画像のＲＧＢ値（以下「背景輝度」という。）を含む。オブジェクト画像データは、オブジェクト画像のＲＧＢ値（以下「オブジェクト輝度」という。）を含む。
なお、ＲＧＢ値とは、赤の輝度、緑の輝度及び青の輝度の３つの値を有するベクトル値である。
なお、表示装置１は、ＯＳＤ機能を有し光源が発する光によって表示先に画像を表示する表示装置であればどのような表示装置であってもよく、必ずしもプロジェクタでなくてもよい。
【００１７】
表示装置１は、ＯＳＤ低輝度モードを有する。ＯＳＤ低輝度モードは、主画像及び副画像を、予め定められた所定の輝度以下の輝度でスクリーン上に表示する表示装置１の動作モードである。
【００１８】
以下、背景画像に重畳して表示されるオブジェクト画像は３つであると仮定して説明する。以下、背景画像に重畳して表示される３つのオブジェクト画像をそれぞれ第１オブジェクト画像、第２オブジェクト画像、第３オブジェクト画像という。以下、第１オブジェクト画像の画像データを第１オブジェクト画像データという。以下、第２オブジェクト画像の画像データを第２オブジェクト画像データという。以下、第３オブジェクト画像の画像データを第３オブジェクト画像データという。以下、第１オブジェクト画像のＲＧＢ値を第１オブジェクト輝度という。以下、第２オブジェクト画像のＲＧＢ値を第２オブジェクト輝度という。以下、第３オブジェクト画像のＲＧＢ値を第３オブジェクト輝度という。
【００１９】
なお、主画像ＲＧＢ値、背景輝度及びオブジェクト輝度は、必ずしもＲＧＢ値でなくてもよい。主画像ＲＧＢ値、背景輝度及びオブジェクト輝度は、例えば、シアンの輝度、マゼンダの輝度、イエローの輝度及びブラックの輝度の４つの輝度を有するベクトル値等の所定のカラーコードの輝度であってもよい。所定のカラーコードの輝度は、例えば、黒の輝度のみを有する要素数が１のベクトル値であってもよい。
【００２０】
以下、説明の簡単のため、主画像ＲＧＢ値、背景輝度及びオブジェクト輝度はＲＧＢ値であると仮定する。
以下、説明の簡単のため、副画像が有する背景画像は単色の１つの背景画像であると仮定する。
【００２１】
外部装置２は、表示装置１に主画像データを送信する。
【００２２】
表示装置１は、は、バスで接続されたＣＰＵ（Central Processing Unit）やメモリや補助記憶装置などを備え、プログラムを実行する。表示装置１は、プログラムの実行によって入力操作部３、入力判定部４、電源部５、制御部６、演算部７、画像処理部８、投写光学系９、光学駆動系１０、記憶部１１及び出射部１２を備える装置として機能する。
【００２３】
入力操作部３は、タッチパネル等の入力装置を含んで構成される。入力操作部３は、これらの入力装置を自装置に接続するインタフェースとして構成されてもよい。入力操作部３は、自装置に対する情報の入力を受け付ける。入力操作部３は、入力された情報を入力判定部４又は制御部６に出力する。
入力操作部３は、例えば、輝度変化量の入力を受け付ける。入力操作部３は、入力された輝度変化量を制御部６に出力する。輝度変化量は、表示装置１が表示用画像をスクリーン上に表示する時の光源の輝度の、所定の値（以下「第１輝度」という。）に対する変化量を示す。例えば、輝度変化量は、第２輝度と第１輝度との差の絶対値の第１輝度に対する比であってもよい。第２輝度は、表示装置１が表示用画像をスクリーン上に表示する時の光源の輝度を第２輝度である。
以下、説明の簡単のため、輝度変化量は、第２輝度と第１輝度との差の絶対値の第１輝度に対する比であると仮定する。以下、第２輝度は第１輝度以下である場合における、第２輝度と第１輝度との差の絶対値の第１輝度に対する比を輝度低減率という。
以下、説明の簡単のため、第２輝度は第１輝度以下であると仮定する。
【００２４】
入力判定部４は、入力操作部３に入力された情報（以下「入力情報」という。）が、自装置に予め記憶された情報のいずれであるかを判定する。以下、入力判定部４の判定の結果を入力判定結果という。入力判定部４は、入力情報と、入力判定結果とを制御部６に出力する。
入力判定部４は、例えば、入力情報が、ＯＳＤ低輝度モードが選択されたことを示す情報か否かを判定する。入力判定部４は、例えば、入力情報が輝度低減率を示す情報であるか否かを判定する。
【００２５】
電源部５は、表示装置１に電力を供給する。電源部５は、表示装置１に電力を供給可能であればどのような仕組みで表示装置１に電力を供給してもよい。電源部５は、例えば、商用電源から電力の供給を受け、取得した電力を表示装置１に供給してもよい。電源部５は、例えば、電池を備え、電池によって表示装置１に電力を供給してもよい。
【００２６】
制御部６は、表示装置１が備える各機能部の動作を制御する。制御部６は、例えば、入力判定結果が入力情報は電源オン情報であるという判定結果である場合であって電源部５がオフ状態である場合、電源部５をオフ状態からオン状態に遷移させる。電源部５のオフ状態とは、電源部５が表示装置１に電力を供給していない状態である。電源部５のオン状態とは、電源部５が表示装置１に電力を供給する状態である。
制御部６は、例えば、取得した輝度低減率を演算部７に出力する。また、制御部６は取得した輝度低減率を記憶部１１に記録するように不図示の記録部を制御する。
【００２７】
演算部７は、副画像の輝度を調整する。具体的には、演算部７は、複数のオブジェクト画像の各輝度を、オブジェクト画像ごとに予め定められた輝度と、背景画像に対して予め定められた輝度と、に基づいて得る。背景画像ごとに予め定められた輝度とは、例えば、背景画像ごとに予め定められたＲＧＢ値である。オブジェクト画像ごとに予め定められた輝度とは、例えば、オブジェクト画像ごとに予め定められたＲＧＢ値である。
【００２８】
画像処理部８は、主画像データ及び副画像データに基づいて、スクリーン上に表示する画像の画像データを生成する。以下、スクリーン上に表示する画像を表示用画像という。以下、表示用画像の画像データを表示用画像データという。表示用画像は、例えば、主画像に副画像が重畳された画像である。
【００２９】
投写光学系９は、レンズやフィルタ等の光学素子と光源９１とを備える光学系であって、表示用画像をスクリーン上に表示するための光学系である。光源９１の輝度は、第１輝度に輝度低減率が乗算された輝度である。光源９１が発する光によって、表示用画像がスクリーン上に表示される。
光学駆動系１０は、制御部６の制御によって投写光学系９の動作を制御する。
【００３０】
記憶部１１は、磁気ハードディスク装置や半導体記憶装置などの記憶装置を用いて構成される。記憶部１１は、表示装置１に関する各種情報を記憶する。表示装置１に関する各種情報は、例えば、表示装置１に入力された情報と、演算部７の演算結果と、背景画像データと、オブジェクト画像データと、予め定められた背景輝度と、予め定められたオブジェクト輝度とを含む。なお、表示装置１に入力された情報は、主画像データを含む。また、記憶部１１は、表示装置１の動作モードがＯＳＤ低輝度モードであるか否かを示す情報を記憶してもよい。記憶部１１に対する情報の記録は、不図示の記録部によって実行される。
【００３１】
出射部１２は、光源９１が発した光が透過する。
光学駆動系１０が投写光学系９の動作を制御することで、光源９１が発した光が出射部１２を介してスクリーン上に照射されると、スクリーン上に表示用画像が表示される。
【００３２】
電池１３は、電源部５の電源がオフ状態である場合に、入力操作部３、入力判定部４及び制御部６に電力を供給する。
【００３３】
図２は、実施形態の表示装置１が表示用画像を生成する処理の流れの一例を示すフローチャートである。図２において、主画像データは予め表示装置１に入力されていると仮定する。
入力操作部３が操作され、ＯＳＤ低輝度モードが選択される（ステップＳ１０１）。具体的には、入力操作部３に対する操作が、ＯＳＤ低輝度モードを選択する操作であると、入力判定部４が判定する。
【００３４】
ユーザによって、輝度低減率が選択される。具体的には、予め補助記憶装置（不図示）に記憶された複数の輝度低減率のうちのひとつの輝度低減率がユーザによって選択される（ステップＳ１０２）。以下、説明の簡単のためステップＳ１０２において選択された輝度低減率は５０％であると仮定する。
【００３５】
ステップＳ１０２において選択された輝度低減率に基づいて、主画像の輝度及び各副画像の輝度が補正される（ステップＳ１０３）。具体的には、演算部７が、主輝度から主輝度に対して輝度軽減率を乗算した値を引き算した値（以下「軽減主輝度」という。）を算出する。演算部７が、背景輝度から背景輝度に対して輝度軽減率を乗算した値を引き算した値を算出する。演算部７は、各オブジェクト輝度が示す値から各オブジェクト輝度に対して輝度軽減率を乗算した値を引き算した値を算出する。
以下、第１オブジェクト輝度から第１オブジェクト輝度に対して輝度軽減率が乗算された値を引き算した値を第１軽減オブジェクト輝度という。以下、第２オブジェクト輝度から第２オブジェクト輝度に対して輝度軽減率が乗算された値を引き算した値を第２軽減オブジェクト輝度という。以下、第３オブジェクト輝度から第３オブジェクト輝度に対して輝度軽減率が乗算された値を引き算した値を第３軽減部ジェクトＲＧＢ値という。以下、背景輝度から背景輝度に対して輝度軽減率を乗算した値を引き算した値を軽減背景輝度という。以下、第１軽減オブジェクト輝度、第２軽減オブジェクト輝度及び第３軽減オブジェクト輝度を区別しない場合、軽減オブジェクト輝度という。
以下、輝度低減率に基づいて、主画像の輝度及び各副画像の輝度を補正する処理を輝度軽減処理という。
なお、軽減オブジェクト輝度は、基準非背景輝度の一例である。
なお、軽減背景輝度は、基準背景輝度の一例である。
【００３６】
図３は、実施形態における輝度軽減処理の実行前の背景輝度及びオブジェクト輝度の一例を示す図である。
【００３７】
輝度軽減処理の実行前の背景輝度及びオブジェクト輝度は、例えば、補助記憶装置に、ＲＧＢ値テーブルＴ１０１として記憶される。
ＲＧＢ値テーブルＴ１０１は、“画像種類”の項目の値と、“ＲＧＢ値”の項目の値と、“表示位置”の値とをもつ。
“画像種類”の項目は、副画像が含む背景画像又はオブジェクト画像を表す。“画像種類”の項目の値は、“第１オブジェクト”、“第２オブジェクト”、“第３オブジェクト”、“背景画像”を表す値をもつ。“第１オブジェクト”は、第１オブジェクト画像データを表す。“第２オブジェクト”は、第２オブジェクト画像データを表す。“第３オブジェクト”は、第３オブジェクト画像データを表す。“背景画像”は、背景画像データを表す。
“ＲＧＢ値”の項目の値は、“画像種類”が表す背景画像又はオブジェクト画像のＲＧＢ値を表す。図３の場合は、ＲＧＢ値を、赤色の輝度を表す値と、緑色の輝度を表す値と、青色の輝度を表す値との３つの値で表す。
【００３８】
“表示位置”は、“画像種類”が表す背景画像又はオブジェクト画像が表示される位置の主画像に対する相対的な位置を示す。“表示位置”は、例えば、主画像に対して固定された所定の２次元の座標系（以下「主画像座標系」という。）の座標値によって“画像種類”が表す背景画像又はオブジェクト画像が表示される位置の主画像に対する相対的な位置を表す。表示位置”は、例えば、背景画像又はオブジェクト画像の所定の位置の主画像座標系における座標値によって、“画像種類”が表す背景画像又はオブジェクト画像が表示される位置の主画像に対する相対的な位置を表してもよい。背景画像又はオブジェクト画像の所定の位置は、例えば、背景画像又はオブジェクト画像の端部であってもよい。背景画像又はオブジェクト画像の所定の位置は、背景画像又はオブジェクト画像上の主画像座標系おけるＸ軸の座標値が最も小さくＹ軸の座標値が最も大きい位置であってもよい。なお、Ｘ軸とＹ軸とは互いに直交する主画像座標系の座標軸である。
以下、主画像に対する相対的な位置を表すための背景画像又はオブジェクト画像の所定の位置を、基準位置という。
なお、基準位置は各背景画像又はオブジェクト画像について複数であってもよい。例えば、基準位置は、Ｘ軸及びＹ軸の座標値が最も大きい位置と、Ｘ軸の座標値が最も大きくＹ軸の座標値が最も小さい位置と、Ｘ軸の座標値が最も小さくＹ軸の座標値が最も大きい位置と、Ｘ軸の座標値が最も小さくＹ軸の座標値が最も小さい位置と、の４つの位置であってもよい。
以下、説明の簡単のため、オブジェクト画像の基準位置は、Ｘ軸の座標値が最も小さくＹ軸の座標値が最も大きい位置であると仮定する。また、以下、説明の簡単のため、背景画像の基準位置は、Ｘ軸及びＹ軸の座標値が最も大きい位置と、Ｘ軸の座標値が最も大きくＹ軸の座標値が最も小さい位置と、Ｘ軸の座標値が最も小さくＹ軸の座標値が最も大きい位置と、Ｘ軸の座標値が最も小さくＹ軸の座標値が最も小さい位置と、の４つの位置であると仮定する。
なお、主画像座標系は、例えば、ＯＳＤのフレームデータで作成した座標系であってもよい。
【００３９】
図３において、レコードＲ１０１は、第１オブジェクト画像のＲＧＢ値は、赤色が３０、緑色が３０、青色が３０であることを示す。レコードＲ１０１は、第１オブジェクト画像の基準位置の主画像座標系における座標値は、Ｘ軸の座標値が−９００であって、Ｙ軸の座標値が３００であることを示す。
【００４０】
図３において、レコードＲ１０２は、第２オブジェクト画像のＲＧＢ値は、赤色が７０、緑色が７０、青色が７０であることを示す。レコードＲ１０１は、第２オブジェクト画像の基準位置の主画像座標系における座標値は、Ｘ軸の座標値が−９００であって、Ｙ軸の座標値が２９０であることを示す。
【００４１】
図３において、レコードＲ１０３は、第３オブジェクト画像のＲＧＢ値は、赤色が１２０、緑色が１２０、青色が１２０であることを示す。レコードＲ１０１は、第３オブジェクト画像の基準位置の主画像座標系における座標値は、Ｘ軸の座標値が−９００であって、Ｙ軸の座標値が２８０であることを示す。
【００４２】
図３において、レコードＲ１０４は、背景画像のＲＧＢ値は、赤色が１６０、緑色が１６０、青色が１６０であることを示す。レコードＲ１０４は、背景画像の基準位置の主画像座標系における座標値は、１つがＸ軸の座標値が−９９０であって、Ｙ軸の座標値が５４０であることを示す。レコードＲ１０４は、背景画像の基準位置の主画像座標系における座標値は、１つがＸ軸の座標値が９９０であって、Ｙ軸の座標値が５４０であることを示す。レコードＲ１０４は、背景画像の基準位置の主画像座標系における座標値は、１つがＸ軸の座標値が−９９０であって、Ｙ軸の座標値が−５４０であることを示す。レコードＲ１０４は、背景画像の基準位置の主画像座標系における座標値は、最後の１つがＸ軸の座標値が９９０であって、Ｙ軸の座標値が−５４０であることを示す。
【００４３】
図４は、実施形態における輝度軽減処理の実行後の背景輝度及びオブジェクト輝度の一例を示す図である。
輝度軽減処理の実行後の背景輝度及びオブジェクト輝度は、例えば、“ＲＧＢ値”の項目の値が乗算後のＲＧＢ値によって上書きされたＲＧＢ値テーブルＴ１０２として記憶される。
図４において、レコードＲ２０１は、第１オブジェクト画像のＲＧＢ値は、赤色が１５、緑色が１５、青色が１５であることを示す。
図４において、レコードＲ２０２は、第２オブジェクト画像のＲＧＢ値は、赤色が３５、緑色が３５、青色が３５であることを示す。
図４において、レコードＲ２０３は、第３オブジェクト画像のＲＧＢ値は、赤色が６０、緑色が６０、青色が６０であることを示す。
図４において、レコードＲ２０４は、背景画像のＲＧＢ値は、赤色が８０、緑色が８０、青色が８０であることを示す。
【００４４】
図２の説明に戻る。
ステップＳ１０３の次に、演算部７は、軽減背景輝度及び軽減オブジェクト輝度に基づいて、視認性の悪い副画像があるか否かを判定する。具体的には、演算部７は、軽減背景輝度及び軽減オブジェクト輝度に基づいて、視認性に関する所定の条件（以下「視認性条件」という。）を満たすオブジェクト画像があるか否かを判定する（ステップＳ１０４）。演算部７は、視認性条件を満たすオブジェクト画像がある場合に、視認性の悪いオブジェクト画像があると判定する。
視認性条件は、例えば、式（１）で表される輝度差が閾値未満であるという条件であってもよい。以下、閾値を輝度差閾値という。以下、説明の簡単のため輝度差閾値が３０であると仮定する。
【００４５】
【数１】
2020095181.tif 000003
【００４６】
式（１）において、ｐ１及びｐ２は、背景画像又はオブジェクト画像を表す。ｐ２はｐ１が表す画像とは異なる画像を表す。例えば、ｐ１が背景画像を表し、ｐ２が第１オブジェクト画像を表す。例えば、ｐ１が第１オブジェクト画像を表し、ｐ２が第２オブジェクト画像を表す。
式（１）において、Ｄｐ１、ｐ２は、ｐ１が表す画像とｐ２が表す画像との輝度差を表す。式（１）において、Ｖｐ１＿ｍａｘは、ｐ１が表す画像のＲＧＢ値のうち最大のＲＧＢ値を表す。式（１）において、Ｖｐ１＿ｍｉｎは、ｐ１が表す画像のＲＧＢ値のうち最大のＲＧＢ値を表す。式（１）において、Ｖｐ２＿ｍａｘは、ｐ２が表す画像のＲＧＢ値のうち最大のＲＧＢ値を表す。式（１）において、Ｖｐ２＿ｍｉｎは、ｐ２が表す画像のＲＧＢ値のうち最大のＲＧＢ値を表す。
【００４７】
図５は、実施形態の輝度軽減処理後の輝度差の一例を示す図である。
図５は、図４の背景輝度及びオブジェクト輝度における輝度差を表す。図５において、輝度差Ｄ１，２は、第１オブジェクト画像と第２オブジェクト画像との輝度差を表す。図５において、輝度差Ｄ２、３は、第２オブジェクト画像と第３オブジェクト画像との輝度差を表す。図５において、輝度差Ｄ３、４は、第３オブジェクト画像と背景画像との輝度差を表す。
図５は、輝度差Ｄ１，２が２０、輝度差Ｄ２、３が２５、輝度差Ｄ３、４が２０であることを表す。
【００４８】
ステップＳ１０４において、視認性条件を満たすオブジェクト画像がある場合（ステップＳ１０４：ＹＥＳ）、演算部７は、輝度軽減処理後のオブジェクト輝度を、第１再補正処理によってさらに補正することができるか否かを判定する（ステップＳ１０５）。
第１再補正処理は、輝度差Ｙｄ１、Ｙｄ２、Ｙｄ３の各値が、輝度差閾値以上であるように、軽減オブジェクト輝度の最大値と軽減オブジェクト輝度の最小値との差を変えることなく補正する処理である。
図４における第３軽減オブジェクト輝度は、軽減オブジェクト輝度の最大値の一例である。図４における第１軽減オブジェクト輝度は、軽減オブジェクト輝度の最小値の一例である。
【００４９】
第１再補正処理によってさらに補正することができるか否か、とは、第１再補正処理によって軽減オブジェクト輝度が視認性条件を満たす値に補正されるか否か、ということを意味する。
【００５０】
図６は、実施形態の図４が示す背景輝度及びオブジェクト輝度に対して第１再補正処理が実行された後の背景輝度及びオブジェクト輝度の一例を示す図である。
第１再補正処理が実行された後の背景輝度及びオブジェクト輝度は、例えば、補助記憶装置に、ＲＧＢ値テーブルＴ１０３として記憶される。
図６において、レコードＲ３０１は、第１オブジェクト画像のＲＧＢ値は、赤色が０、緑色が０、青色が０であることを示す。
図６において、レコードＲ３０２は、第２オブジェクト画像のＲＧＢ値は、赤色が２０、緑色が２０、青色が２０であることを示す。
図６において、レコードＲ３０３は、第３オブジェクト画像のＲＧＢ値は、赤色が５０、緑色が５０、青色が５０であることを示す。
図６において、レコードＲ３０４は、背景画像のＲＧＢ値は、赤色が８０、緑色が８０、青色が８０であることを示す。
このように、図４の背景輝度及びオブジェクト輝度に対して第１再補正処理が実行された場合、軽減オブジェクト輝度は視認性条件を満たさない。
【００５１】
図７は、実施形態における第１再補正処理後の輝度差の一例を示す図である。
図７は、図６の背景輝度及びオブジェクト輝度における輝度差を表す。図７は、輝度差Ｄ１，２が２０、輝度差Ｄ２、３が２０、輝度差Ｄ３、４が３０であることを表す。
【００５２】
図２の説明に戻る。
第１再補正処理によってさらに補正することができる場合（ステップＳ１０５：ＹＥＳ）、演算部７は第１再補正処理を実行する（ステップＳ１０６）。
ステップＳ１０６の処理の次にステップＳ１０８の処理が実行される。
【００５３】
ステップＳ１０５の処理において、第１再補正処理によってさらに補正することができない場合（ステップＳ１０５：ＮＯ）、演算部７は第２再補正処理を実行する（ステップＳ１０７）。第２再補正処理の詳細は後述する。
ステップＳ１０７の処理の次にステップＳ１０８の処理が実行される。
【００５４】
ステップＳ１０８において、画像処理部８は、背景輝度及びオブジェクト輝度に基づいて、表示用画像データを生成する。
【００５５】
一方、ステップＳ１０４において、視認性条件を満たすオブジェクト画像が無い場合（ステップＳ１０４：ＮＯ）、ステップＳ１０８の処理が実行される。
【００５６】
図８は、実施形態の第２再補正処理における処理の流れの一例を示すフローチャートである。
演算部７は、第１再補正処理を実行する（ステップＳ２０１）。ステップＳ１０３の処理によって背景輝度及びオブジェクト輝度が、例えば、図４に示す値である場合、ステップＳ２０１の処理によって取得される背景輝度及びオブジェクト輝度は図６に示す値である。
【００５７】
演算部７は、最大輝度差を得る（ステップＳ２０２）。最大輝度差は、背景画像とオブジェクト画像との輝度差のうち、最大の輝度差である。例えば、図６において、最大輝度差は、８０である。
【００５８】
演算部７は、輝度差総数を得る（ステップＳ２０３）。輝度差総数は、背景画像の数とオブジェクト画像の数との合計より１少ない値である。例えば、図６において、輝度差総数は、３である。
【００５９】
演算部７は、輝度差閾値を、最大輝度差を輝度差総数で割り算した値によって、輝度差閾値の値を更新する（ステップＳ２０４）。更新後の輝度差閾値は、最大輝度差を輝度差総数で割り算した値である。例えば、図６において、更新後の輝度差閾値は、８０／３（すなわち、略２６）である。以下、説明の簡単のため、図６における更新後の輝度差閾値は、２６であると仮定する。
【００６０】
演算部７は、更新後の輝度差閾値に基づいて、オブジェクト画像及び背景画像のＲＧＢ値を得る（ステップＳ２０５）。具体的には、演算部７は、背景画像との輝度差が最大であるオブジェクト画像の輝度と更新後の輝度差閾値の（ｎ−１）倍の値との和の値を、背景画像との輝度差がｎ番目に大きいオブジェクト画像の輝度として得る。なお、ｎは１以上の整数である。
【００６１】
図９は、実施形態の第２再補正処理後の背景輝度及びオブジェクト輝度の一例を示す図である。
第２再補正処理が実行された後の背景輝度及びオブジェクト輝度は、例えば、補助記憶装置に、ＲＧＢ値テーブルＴ１０４として記憶される。
図９が示す背景輝度及びオブジェクト輝度は、第２再補正処理前の背景輝度及びオブジェクト輝度が図６に示す値である場合の値である。
図９は、第１オブジェクト画像のＲＧＢ値が０であり、第２オブジェクト画像のＲＧＢ値が２６であり、第３オブジェクト画像のＲＧＢ値が５２であり、背景画像のＲＧＢ値が８０であることを示す。
【００６２】
図１０は、実施形態における第２再補正処理後の輝度差の一例を示す図である。
図１０は、図９の背景輝度及びオブジェクト輝度における輝度差を表す。図１０は、輝度差Ｄ１，２が２６、輝度差Ｄ２、３が２６、輝度差Ｄ３、４が２６であることを表す。
【００６３】
このように構成された実施形態の表示装置１は、背景画像に応じてオブジェクト画像を補正する演算部７を備える。そのため、このように構成された表示装置１は、非背景画像の視認性の悪さを改善することができる。なお、オブジェクト画像は非背景画像の一例である。
【００６４】
（変形例）
なお、単色の背景画像が複数ある場合であって、背景画像の形状が所定の座標系の座標値によって示される場合、ステップＳ１０４においてオブジェクト画像と比較される背景画像は、オブジェクト画像の基準位置の座標を含む背景画像である。所定の座標系は、例えば、主画像座標系である。
図１１は、オブジェクト画像と背景画像との関係の一例を示す図である。
図１１における座標軸は所定の座標系の一例である。図１１において、“文字Ａ”、“文字Ｂ”及び“文字Ｃ”はオブジェクト画像の一例である。図１１において、“背景Ｘ”は、背景画像の一例である。図１１において、オブジェクト画像は背景画像に重畳している。
【００６５】
なお、背景画像に重畳されるオブジェクト画像は必ずしも３つでなくてもよい。背景画像に重畳されるオブジェクト画像は、複数であってもよい。
【００６６】
なお、ステップＳ１０２において選択される輝度低減率は、必ずしも５０％でなくてもよい。輝度低減率は、例えば、６０％であってもよいし、７０％であってもよいし、８０％であってもよい。
【００６７】
なお、表示装置１は、必ずしも、図２のフローチャートが示すステップＳ１０３からステップＳ１０７までの処理をＯＳＤ低輝度モードが実行されるたびに実行する必要は無い。表示装置１は、予め、輝度低減率と、背景画像とオブジェクト画像の組合せとごとに、図２のフローチャートが示すステップＳ１０３からステップＳ１０７までの処理を実行した結果（以下「事前取得結果」という。）を記憶していてもよい。表示装置１は、事前取得結果に基づいて、表示用画像を生成してもよい。
【００６８】
図１２は、変形例における事前取得結果の一例を示す図である。
図１２（Ａ）は、輝度低減率が５０％における事前取得結果を示す。図１２（Ｂ）は、輝度低減率が６０％における事前取得結果を示す。図１２（Ｃ）は、輝度低減率が７０％における事前取得結果を示す。
図１２に示す事前取得結果は、輝度低減率が上がるほど、各オブジェクト画像及び背景画像の輝度が下がることを示す。
【００６９】
上述した実施形態における入力判定部４、制御部６、演算部７及び画像処理部８をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７０】
入力判定部４、制御部６、演算部７及び画像処理部８は、ネットワークを介して通信可能に接続された複数台の情報処理装置を用いて実装されてもよい。この場合、入力判定部４、制御部６、演算部７及び画像処理部８は、複数の情報処理装置に分散して実装されてもよい。例えば、入力判定部４及び制御部６と、演算部７及び画像処理部８とはそれぞれ異なる情報処理装置に実装されてもよい。
【００７１】
図１３は、変形例の表示装置１ａの機能構成の一例を示す図である。
表示装置１ａは、演算部７ａ及び画像処理部８ａを備える。
演算部７は、表示装置１が備える演算部７と同様の機能を有する。具体的には、演算部７ａは、軽減背景輝度と複数の軽減オブジェクト輝度とのうちの任意の２つの輝度差のうち輝度差閾値未満の差があるか否かの結果に応じて、複数のオブジェクト画像をスクリーン上に表示させる輝度を得る。
画像処理部８ａは、表示装置１が備える画像処理部８と同様の機能を有する。具体的には、画像処理部８ａは、演算部７ａによって得られた輝度のオブジェクト画像が背景画像に重畳された画像の画像データを、表示用画像データとして生成する。
【符号の説明】
【００７２】
１、１ａ…表示装置、  ２…外部装置、  ３…入力操作部、  ４…入力判定部、  ５…電源部、  ６…制御部、  ７、７ａ…演算部、  ８、８ａ…画像処理部、  ９…投写光学系、  １０…光学駆動系、  １１…記憶部、  １２…出射部、  １３…電池、  ９１…光源
【図１】
2020095181.tif 000004
【図２】
2020095181.tif 000005
【図３】
2020095181.tif 000006
【図４】
2020095181.tif 000007
【図５】
2020095181.tif 000008
【図６】
2020095181.tif 000009
【図７】
2020095181.tif 000010
【図８】
2020095181.tif 000011
【図９】
2020095181.tif 000012
【図１０】
2020095181.tif 000013
【図１１】
2020095181.tif 000014
【図１２】
2020095181.tif 000015
【図１３】
2020095181.tif 000016